(57)【特許請求の範囲】
【請求項１】
ホームロッカーの天井板、上段ロッカー部の底板、下段ロッカー部の底板相互の形状が前方へ向けて凸状となるかまぼこ型形状を有し、前面にスライド可能に取り付けられ閉塞状態で前面壁を構成し且つ一方または両方にスライドさせることで開閉し得る単体または一対のシャッターを備え、前記上段ロッカー部の底板には該上段ロッカー部と下段ロッカー部とに連通する連通孔を形成したホームロッカーにおいて、該ホームロッカーの上段ロッカー部の底板には前記シャッターが通過する連通孔に当接した側面を跳ね上げ回動可能とする可動アームを備え、該可動アームの支持側端部が底板コーナー側の内側に位置することを特徴とするホームロッカー。
【請求項２】
ホームロッカーの天井板、上段ロッカー部の底板、下段ロッカー部の底板相互の形状が前方へ向けて凸状となるかまぼこ型形状を有し、前面にスライド可能に取り付けられ閉塞状態で前面壁を構成し且つ一方または両方にスライドさせることで開閉し得る単体または一対のシャッターを備え、前記上段ロッカー部の底板には該上段ロッカー部と下段ロッカー部とに連通する連通孔を形成したホームロッカーにおいて、該ホームロッカーの上段ロッカー部の底板には前記シャッターが通過する連通孔に当接した側面を跳ね上げ回動可能とする可動アームを備え、該可動アームの支持側端部から後方へ向けてＬ字型に折曲させた第１折曲部と、該第１折曲部からさらに側方へ向けてＬ字型に折曲させた第２折曲部とを連設させ、該第２折曲部の前部壁面と、上段ロッカー部のシャッター下端部が通過する底板コーナー側の後部壁面とを軸支部を介して枢支連繋させることで可動アームの支持側端部を底板コーナー側の内側にて跳ね上げ回動可能となるようにしたことを特徴とするホームロッカー。
【請求項３】
ホームロッカーの内部壁面の複数箇所に亙って円筒突起状に配設されたネジ用受け溝部に対し補強リブを付設した請求項１または２記載のホームロッカー。
【請求項４】
補強リブは、前記ネジ用受け溝部の一側壁面に対し基端に向けて次第に幅拡となる片面スカート状に延設されているものとした請求項３記載のホームロッカー。
【発明の詳細な説明】
【０００１】
【発明の属する技術分野】
本発明は、主として背の高い物品も収納できるようにした横開きシャッター式のホームロッカーに関するものである。
【０００２】
【従来の技術】
従来、出願人自身が既に出願した登録実用新案第３０２０２９２号他公報に開示されている技術がある。すなわち、上側を覆う天井板と、両側に配設された側面パネルと、後側に配設された裏面パネルと、前記側面パネルおよび裏面パネルの下側に配設された底板と、前面にスライド可能に取り付けられ閉塞状態で前面壁を構成すると共に一方または両方にスライドさせることで開閉し得る単体または一対のシャッターとを備えて最上段ロッカー部を構成し、前記底板がその上面に前記側面パネル、裏面パネルおよびシャッターの夫々の下端部が入り込んで取り付けられる上側嵌合溝を形成すると共に、その下面に前記同様の側面パネル、裏面パネルおよびシャッターの夫々の上端部が入り込んで取り付けられる下側嵌合溝を形成して構成され、この底板の下側にこの底板を天井側の板としてさらに前記同様の側面パネル、裏面パネルおよびシャッターを取り付けて複数段にロッカー部を積み重ねて構成し、最下段ロッカー部以外の底板には、上段ロッカー部と下段ロッカー部とに連通する連通孔を形成した技術が提供されている。また、図５に示すように、天井板５、連通孔１２を有する上段ロッカー部３の底板２、下段ロッカー部４の底板１１相互の形状が前方へ向けて凸状となるかまぼこ型形状を有するホームロッカー１が提供されている。さらに、従来ではホームロッカーの内部壁面の複数箇所に亙ってネジ用受け溝が配設されている。
【０００３】
【発明が解決しようとする課題】
しかしながら従来のホームロッカーでは、連通孔を介して背の高い物品を上段ロッカー部と下段ロッカー部とに跨がって収納する場合、最下段ロッカー部以外のシャッターが通過する連通孔に当接した底板側面が邪魔になるため、長尺物を上段ロッカー部側から下段ロッカー部側へ差し込むようにして連通孔に挿入するか、または下段ロッカー部側から上段ロッカー部側へ連通孔を介して挿入するかして収納させなければならず、ホームロッカーに対する長尺収納物の搬入、搬出等が非常に困難となる問題点を有していた。また、従来のかまぼこ型形状を有するホームロッカーにあっては、上段ロッカー部の底板縁部に前記シャッターが通過する連通孔に当接した側面を開放させるための可動アームを設置することが困難であった。さらに、従来ではホームロッカーの内部壁面の複数箇所に亙って配設されたネジ用受け溝に対し何等の補強も成されておらず、ネジの締結力によりネジ穴部に亀裂が発生したり折損したりする等の虞れがあった。
【０００４】
そこで本発明は、叙上のような従来存した問題点に鑑み創出されたものであり、本発明の第１の目的は、かまぼこ型形状を有するホームロッカーであっても、シャッターが通過する連通孔に当接した側面を開放させるための可動アームを設置することを可能にすることにより、長尺収納物の搬入、搬出が容易となりホームロッカーの使い易さを向上させ、物品の搬入時の煩わしさを無くすように改良を加えたホームロッカーを提供することにある。また、本発明の第２の目的は、ホームロッカーの内部壁面に配設させた複数のネジ用受け溝に対する補強を充実させることにある。
【０００５】
【課題を解決するための手段】
このため、本発明にあっては、ホームロッカーの天井板、上段ロッカー部の底板、下段ロッカー部の底板相互の形状が前方へ向けて凸状となるかまぼこ型形状を有し、前面にスライド可能に取り付けられ閉塞状態で前面壁を構成し且つ一方または両方にスライドさせることで開閉し得る単体または一対のシャッターを備え、前記上段ロッカー部の底板には該上段ロッカー部と下段ロッカー部とに連通する連通孔を形成したホームロッカーにおいて、該ホームロッカーの上段ロッカー部の底板には前記シャッターが通過する連通孔に当接した側面を跳ね上げ回動可能とする可動アームを備え、該可動アームの支持側端部が底板コーナー側の内側に位置することで、上述した課題を解決した。また、ホームロッカーの天井板、上段ロッカー部の底板、下段ロッカー部の底板相互の形状が前方へ向けて凸状となるかまぼこ型形状を有し、前面にスライド可能に取り付けられ閉塞状態で前面壁を構成し且つ一方または両方にスライドさせることで開閉し得る単体または一対のシャッターを備え、前記上段ロッカー部の底板には該上段ロッカー部と下段ロッカー部とに連通する連通孔を形成したホームロッカーにおいて、該ホームロッカーの上段ロッカー部の底板には前記シャッターが通過する連通孔に当接した側面を跳ね上げ回動可能とする可動アームを備え、該可動アームの支持側端部から後方へ向けてＬ字型に折曲させた第１折曲部と、該第１折曲部からさらに側方へ向けてＬ字型に折曲させた第２折曲部とを連設させ、該第２折曲部の前部壁面と、上段ロッカー部のシャッター下端部が通過する底板コーナー側の後部壁面とを軸支部を介して枢支連繋させることで可動アームの支持側端部を底板コーナー側の内側にて跳ね上げ回動可能となるようにしたことで、同じく上述した課題を解決した。さらに、ホームロッカーの内部壁面の複数箇所に亙って円筒突起状に配設されたネジ用受け溝部に対し補強リブを付設したことで、同じく上述した課題を解決した。また、補強リブは、前記ネジ用受け溝部の一側壁面に対し基端に向けて次第に幅拡となる片面スカート状に延設されていることで、同じく上述した課題を解決した。
【０００６】
本発明に係るホームロッカーにあって、上段ロッカー部のシャッターが通過する連通孔に当接した底板側面を傾倒自在に可動とした可動アームは、長尺収納物の搬入、搬出時にロッカー側柱方向へ跳ね上げ回動されて、底板の連通孔に当接した側面のみが開放され凹溝状の開口部となってホームロッカー内への長尺収納物の搬入、搬出を可能とさせる。このとき、可動アームの支持側端部に設けた第２折曲部を軸支部を介して底板コーナーの内側にて枢支させたことにより、シャッターが通過する上段ロッカー部の底板コーナー側の曲率を例えば１００以上としても何等の支障もなく可動アームを容易に回動させる。また、ネジ用受け溝部の一側壁面に設けた片面スカート状の補強リブは、ネジの締結力に対する補強を付与させ、ネジ穴部の亀裂や折損等を防止させる。
【０００７】
【発明の実施の形態】
以下、図面を参照して本発明の実施の形態を説明するに、図において示される符号１は、主として背の高い物品も収納できるようにした横開きシャッター構造の多段式のホームロッカーであり、該ホームロッカー１は、図１に示すように、プラスチック製の材料により、底板２を介して上段ロッカー部３と下段ロッカー部４とに例えば２段に積み重ねて構成されている。そして、上段ロッカー部３は、上側を覆う天井板５と、両側に配設された側面パネル６Ａと、後側に配設された裏面パネル７Ａと、側面パネル６Ａおよび裏面パネル７Ａの下側に配設された底板２、前面にスライド可能に取り付けられ閉塞状態で前面壁を構成すると共に一方または両方にスライドさせることで開閉し得る単体または一対のシャッター８Ａとを備えている。そして、前記天井部５、底板２、底板１１の形状を前方へ向けて略かまぼこ型形状に形成し、両シャッター８Ａ，８Ｂが通過する凸状側の前面の両サイドコーナー部分を曲率が約１００以上となるように緩やかに構成されている。
【０００８】
このとき底板２縁部の上面には、図１に示すように、その上面に前記側面パネル６Ａ、裏面パネル７Ａおよびシャッター８Ａの夫々の下端部が入り込んで取り付けられる上側嵌合溝を形成すると共に、その下面には上段ロッカー部３と同一構成の下段ロッカー部４を構成する側面パネル６Ｂ、裏面パネル７Ｂおよびシャッター８Ｂの夫々の上端部が入り込んで取り付けられる下側嵌合溝９Ａを形成している。すなわち、この底板２の下側に該底板２自体を天井側の板としてさらに前記同様の側面パネル６Ｂ、裏面パネル７Ｂおよびシャッター８Ｂを取り付けて２段にロッカー部を積み重ねて構成している。また、下段ロッカー部４の底板１１の上面縁部側には上側嵌合溝９Ｂを形成している。尚、本実施の形態においては上段ロッカー部３と下段ロッカー部４との２段式構造によるものとしているが、２段以上の複数段にロッカー部を積み重ねて構成しても良いことは勿論である。
【０００９】
そして、図１に示すように、上段ロッカー部３の底板２には特に背の高い物品も容易に収納できるように上段ロッカー部３と下段ロッカー部４とに連通する連通孔１２を形成してあり、また底板２には、図２、図３に示すように、前記シャッター８Ａが通過する連通孔１２に当接した底板２側面のみを傾倒自在に可動とする可動アーム１３を備えている。すなわち、可動アーム１３は、底板２側面の連通孔１２に当接した長さ部分を切断して、側面パネル６Ａ前端側のロッカー側柱方向へ跳ね上げ回動可能となるように支持側端部が後方へ向けてＬ字型に折曲させた第１折曲部１３Ａと、該第１折曲部１３Ａからさらに側方へ向けてＬ字型に折曲させた第２折曲部１３Ｂとを連設させ、該第２折曲部１３Ｂの前部壁面と、上段ロッカー部３のシャッター８Ａ下端部が通過する底板コーナー側の後部壁面とを軸支部１４を介して枢支連繋させることで可動アーム１３の支持側端部を底板コーナー側の内側にて跳ね上げ回動可能となるようにしている。
【００１０】
また、可動アーム１３先端には係合部（図示せず）を設けて底板２の切断箇所の被係合部（図示せず）に係架させることで切断された上側嵌合溝９Ａが連通されて元の底板２形状に復帰できるようにしてある。したがって、底板２の連通孔１２に当接した側面のみが開放されることにより、連通孔１２自体が凹溝状の開口部となってホームロッカー１内への長尺収納物の搬入、搬出を可能とさせるのである。このとき、図２に示すように、底板コーナー側のロッカー側柱には凹部（図示せず）を設け且つ前記可動アーム１３の第２折曲部１３Ｂの上部壁面には凹部に対向する舌片状の係合突起１８を設けてあり、可動アーム１３を側面パネル６Ａ前端側のロッカー側柱方向へ跳ね上げ回動させたときに該可動アーム１３がロッカー側柱から転倒復帰してしまうのを回避させるために可動アーム１３の係合突起１８をロッカー側柱の凹部に係合させて固定できるようにしてある（図３参照）。
【００１１】
さらに、図３に示すように、該可動アーム１３の支持側端部には、Ｌ字型のストッパー突部１９を設けてあり、可動アーム１３の開放状態で下段ロッカー部４のシャッター８Ｂがストッパー突部１９に係止されて閉動不可能にさせる一方、下段ロッカー部４のシャッター８Ｂが閉塞されている状態ではストッパー突部１９の突っ掛かりにより可動アーム１３をロッカー側柱方向へ跳ね上げ回動させるのを阻止することで、シャッター８Ｂに対する保護機能を付与させてある。
【００１２】
尚、図示例にあって、この可動アーム１３は前記ロッカー側柱方向へ跳ね上げ回動させる替わりに下方へ傾倒回動させ、下段ロッカー部４の側面パネル６Ｂ前端側のロッカー側柱へ接合するように構成することも可能である。
【００１３】
また、図４に示すように、ホームロッカー１の上側を覆う前記天井板５と、両側に配設された側面パネル６Ａ，６Ｂと、後側に配設された裏面パネル７Ａ，７Ｂと、該側面パネル６Ａ，６Ｂおよび裏面パネル７Ａ，７Ｂの下側に配設された前記底板２，１１とによって形成されるホームロッカー１の内部壁面Ｐには、複数箇所に亙って中心にネジ穴２０を有する円筒突起状のネジ用受け溝部２１を配設させてあり、さらに該ネジ用受け溝部２１の一側壁面に対し基端に向けて次第に幅拡となる片面スカート状の補強リブ２２を例えば下方へ向けて延設させている。
【００１４】
次に、本発明の使用の一例を説明するに、図１に示すように、ホームロッカー１の上段ロッカー部３または下段ロッカー部４のいずれかに物品を収納したり取り出したりする場合には、個々にシャッター８Ａまたはシャッター８Ｂを開閉させれば良く、さらに、背の高い長尺物品を収納したり取り出したりする場合には、先ずシャッター８Ａとシャッター８Ｂを開けてから可動アーム１３をロッカー側柱方向へ跳ね上げ回動させ、連通孔１２に当接した側面のみを開放させて凹溝状の開口部としてからホームロッカー１内へ長尺収納物を収納すれば良い。このとき、可動アーム１３の支持側端部に設けたストッパー突部１９により下段ロッカー部４のシャッター８Ｂを閉動させるときにシャッター８Ｂの先端上縁部がストッパー突部１９に衝止されるためシャッター８Ｂ自体の閉動を不可能にする。そして、収納後には可動アーム１３を傾倒させて元の底板２形状に復帰させてからシャッター８Ａとシャッター８Ｂとを閉塞しロックさせれば良い。このとき、可動アーム１３をロッカー側柱方向へ跳ね上げ回動させようとしてもストッパー突部１９が下段ロッカー部４のシャッター８Ｂの上端縁部に突っ掛かるため可動アーム１３自体の回動が阻止されるのである。
【００１５】
【発明の効果】
本発明は以上のように構成されており、特にホームロッカーの天井板５、上段ロッカー部の底板２、下段ロッカー部の底板１１相互の形状が前方へ向けて凸状となるかまぼこ型形状を有し、前面にスライド可能に取り付けられ閉塞状態で前面壁を構成し且つ一方または両方にスライドさせることで開閉し得る単体または一対のシャッター８Ａ，８Ｂを備え、前記上段ロッカー部３の底板２には該上段ロッカー部３と下段ロッカー部４とに連通する連通孔１２を形成したホームロッカー１において、該ホームロッカー１の上段ロッカー部３の底板２には前記シャッター８Ａが通過する連通孔１２に当接した側面を跳ね上げ回動可能とする可動アーム１３を備え、該可動アーム１３の支持側端部から後方へ向けてＬ字型に折曲させた第１折曲部１３Ａと、該第１折曲部１３Ａからさらに側方へ向けてＬ字型に折曲させた第２折曲部１３Ｂとを連設させ、該第２折曲部１３Ｂの前部壁面と、上段ロッカー部３のシャッター８Ａ下端部が通過する底板コーナー側の後部壁面とを軸支部１４を介して枢支連繋させることで可動アーム１３の支持側端部を底板コーナー側の内側にて跳ね上げ回動可能となるようにしたので、かまぼこ型形状を有するホームロッカー１であっても、シャッター８Ａが通過する連通孔１２に当接した側面を開放させるための可動アーム１３を容易に設置することができる。そして、ホームロッカー１内へ長尺収納物を収納するときには、可動アーム１３を跳ね上げることにより連通孔１２のシャッター通過側が開放されて凹溝状の開口部となり、ホームロッカー１内への長尺収納物の搬入、搬出を可能とさせるため、従来のホームロッカーに比して、長尺収納物の搬入、搬出が容易となりホームロッカーの使い易さを向上させ、物品の搬入時の煩わしさを無くすことができる。
【００１６】
また、上側を覆う前記天井板５と、両側に配設された側面パネル６Ａ，６Ｂと、後側に配設された裏面パネル７Ａ，７Ｂと、該側面パネル６Ａ，６Ｂおよび裏面パネル７Ａ，７Ｂの下側に配設された前記底板２，１１とによって形成されるホームロッカー１の内部壁面の複数箇所に亙って円筒突起状に配設されたネジ用受け溝部２１に対し補強リブ２２を付設したので、ネジの締結力に対する補強を付与することに伴い、ネジ穴部の亀裂や折損等を防止することができる。
【００１７】
さらに、補強リブ２２は、前記ネジ用受け溝部２１の一側壁面に対し基端に向けて次第に幅拡となる片面スカート状に延設されているので、ホームロッカー製造時に同一の金型で容易にネジ用受け溝部２１が作成され且つ製造コストを低減させることができる。
【図面の簡単な説明】
【図１】  本発明の実施の形態を示したホームロッカーの全体斜視図である。
【図２】  同じく可動アーム周辺の概略を示す斜視図である。
【図３】  同じく可動アームを跳ね上げ回動させた状態の可動アーム周辺の概略を示す斜視図である。
【図４】  本発明の実施の形態を示したネジ用受け溝の概略を示す斜視図であり、（ａ）はネジ用受け溝の配設状態を示し、（ｂ）はネジ用受け溝の補強リブ周辺を示す。
【図５】  従来例におけるホームロッカーの全体斜視図である。
【符号の説明】
１…ホームロッカー          ２…底板
３…上段ロッカー部          ４…下段ロッカー部
５…天井板                  ６Ａ，６Ｂ…側面パネル
７Ａ，７Ｂ…裏面パネル      ８Ａ，８Ｂ…シャッター
９Ａ，９Ｂ…上側嵌合溝      １１…底板
１２…連通孔                １３…可動アーム
１４…軸支部                １８…係合突起
１９…ストッパー突部        ２０…ネジ穴
２１…ネジ用受け溝部        ２２…補強リブ
【図１】
0003766184.tif 000002
【図２】
0003766184.tif 000003
【図３】
0003766184.tif 000004
【図４】
0003766184.tif 000005
【図５】
0003766184.tif 000006